(57)【要約】  分散剤ポリマーと、ビルダーと、界面活性剤とを含む自動食器洗浄組成物が提供され、界面活性剤は、式Ｉの脂肪アルコールアルコキシレートであり、式中、Ｒ１は、直鎖または分枝鎖の飽和Ｃ８−２４アルキル基であり、Ｒ２は、直鎖の飽和Ｃ２−８アルキル基であり、ｍは、２２〜４２の平均値を有し、ｎは、４〜１２の平均値を有し、式中、ｍ＋ｎは、２６〜５４の平均値であり、脂肪アルコールアルコキシレートは、＞４５重量％の１分子当たりの平均エチレンオキシ単位濃度Ｘを有し、脂肪アルコールアルコキシレートは、ｎで除算したＸに等しい比Ｚを有し、比Ｚは＜９．５である。【化１】2019519639.tif 000021
2019519639.tif 000002
【特許請求の範囲】
【請求項１】
自動食器洗浄組成物であって、
アクリル酸、メタクリル酸、イタコン酸、及びマレイン酸のうちの少なくとも１つのモノマー単位を含む分散剤ポリマーと、
ビルダーと、
界面活性剤と、を含み、前記界面活性剤が、式Ｉの脂肪アルコールアルコキシレートであり、
【化１】
2019519639.tif 000020
式中、
Ｒ１が、直鎖または分枝鎖の飽和Ｃ８−２４アルキル基であり、
Ｒ２が、直鎖飽和Ｃ２−８アルキル基であり、
ｍが、２２〜４２の平均値を有し、
ｎが、４〜１２の平均値を有し、
ｍ＋ｎは、２６〜５４の平均値であり、
式Ｉの前記脂肪アルコールアルコキシレートが、＞４５重量％の１分子当たりの平均エチレンオキシ単位濃度を有し、
式Ｉの前記脂肪アルコールアルコキシレートが、ｎで除算した、前記１分子当たりの平均エチレンオキシ単位濃度Ｘに等しい比Ｚを有し、前記比Ｚが、＜９．５である、自動食器洗浄組成物。
【請求項２】
Ｒ１が、ドデシル基、テトラデシル基、ヘキサデシル基、オクタデシル基、及びエイコシル基からなる群から選択される、請求項１に記載の自動食器洗浄組成物。
【請求項３】
Ｒ２が、Ｃ２アルキル基である、請求項１に記載の自動食器洗浄組成物。
【請求項４】
前記１分子当たりの平均エチレンオキシ単位濃度Ｘが、５０〜６４．５重量％であり、前記比Ｚが、４〜９．４である、請求項１に記載の自動食器洗浄組成物。
【請求項５】
前記分散剤ポリマーが、（メタ）アクリル酸のホモポリマーである、請求項１に記載の自動食器洗浄組成物。
【請求項６】
前記ビルダーが、アルカリ金属炭酸塩、アルカリ金属重炭酸塩、アルカリ金属過炭酸塩、アルカリ金属クエン酸塩、炭酸アンモニウム、重炭酸アンモニウム、及び過炭酸アンモニウムからなる群から選択される、請求項１に記載の自動食器洗浄組成物。
【請求項７】
前記ビルダーが、炭酸ナトリウム、重炭酸ナトリウム、クエン酸ナトリウム、及びこれらの混合物からなる群から選択される、請求項１に記載の自動食器洗浄組成物。
【請求項８】
漂白剤、漂白活性化剤、漂白触媒、酵素、アミノカルボキシレートキレート剤、充填剤、及びこれらの混合物からなる群から選択される任意の構成成分をさらに含む、請求項１に記載の自動食器洗浄組成物。
【請求項９】
Ｒ１が、ドデシル基、テトラデシル基、ヘキサデシル基、オクタデシル基及びエイコシル基からなる群から選択され、Ｒ２が、Ｃ２アルキル基であり、前記１分子当たりの平均エチレンオキシ単位濃度Ｘが、５０〜６４．５重量％であり、かつ前記比Ｚが、４〜９．４である、請求項１に記載の自動食器洗浄組成物。
【請求項１０】
自動食器洗浄機内で物品を清浄する方法であって、
少なくとも１つの物品を提供することと、
請求項１に記載の自動食器洗浄組成物を提供することと、
前記自動食器洗浄組成物を、前記少なくとも１つの物品に適用することと、を含む、方法。
【発明の詳細な説明】
【技術分野】
【０００１】
本発明は、斑点防止組成物のための界面活性剤に関する。具体的には、本発明は、食器上の斑点を低減するかかる界面活性剤を組み込んだ自動食器洗浄組成物に関する。
【０００２】
自動食器洗浄組成物は概して、布洗浄または水処理のために使用されるものとは異なる洗剤組成物の分類として認識される。自動食器洗浄組成物は、使用者から、完全な清浄サイクルの完了後、洗浄された物品上に斑点及び膜張りがない外観を生じさせることが期待される。
【０００３】
縞状汚染のない水性硬質表面洗浄組成物に使用するためのアルコールエトキシレートのファミリーは、Ｂｕｒｋｅらによる米国特許第５，１２６，０６８号に開示されている。Ｂｕｒｋｅらは、とりわけ、下記式のアルコールエトキシレートを含有する洗浄用組成物を開示しており、
【０００４】
【化１】
2019519639.tif 000003
【０００５】
式中、Ｒは長さが８〜１５個の炭素原子を有するアルキル鎖であり、ｘは約４〜１５の数であり、ｙは約０〜１５の数であり、ｚは約０〜５の数である。
【０００６】
それにもかかわらず、ホスフェート不含組成物がますます望ましくなってきている。ホスフェート不含組成物は、カルシウム及びマグネシウムを硬水から封鎖し、それらが乾燥後、食器上に不溶解性可視堆積物を残さないようにするために、例えば、シトレート、カルボネート、バイカルボネート、アミノカルボキシレートの塩などの非ホスフェートビルダーに依存する。しかし、ホスフェート不含組成物は、ガラス食器及び他の表面上に斑点を残す傾向がより強い。
【０００７】
自動食器洗浄において改善された特性を示し、ホスフェート不含である組成物が、本業界において進歩的であるであろう。したがって、斑点防止特性を有する新しい界面活性剤がなおも必要とされている。具体的には、ホスフェート不含及び斑点防止の両方である自動食器洗浄用配合物を促進する斑点防止特性を有する新しい界面活性剤がなおも必要とされている。
【０００８】
本発明は、アクリル酸、メタクリル酸、イタコン酸、及びマレイン酸のうちの少なくとも１つのモノマー単位を含む分散剤ポリマーと、ビルダーと、界面活性剤とを含む自動食器洗浄組成物を提供し、ここで、界面活性剤は、式Ｉの脂肪アルコールアルコキシレートであり、
【０００９】
【化２】
2019519639.tif 000004
【００１０】
式中、Ｒ１は、直鎖または分枝鎖の飽和Ｃ８−２４アルキル基であり、Ｒ２は、直鎖の飽和Ｃ２−８アルキル基であり、ｍは、２２〜４２の平均値を有し、ｎは、４〜１２の平均値を有し、式中、ｍ＋ｎは、２６〜５４の平均値であり、式Ｉの脂肪アルコールアルコキシレートは、＞４５重量％の１分子当たりの平均エチレンオキシ単位濃度Ｘを有し、式Ｉの脂肪アルコールアルコキシレートは、ｎで除算したＸに等しい比Ｚを有し、比Ｚは＜９．５である。
【００１１】
分散剤ポリマー（分散剤ポリマーが、（メタ）アクリル酸のホモポリマー、（メタ）アクリル酸と少なくとも１つの他のエチレン性不飽和モノマーとのコポリマー、及びそれらの塩を含む）と、ビルダーと、界面活性剤とを含む自動食器洗浄組成物が提供され、界面活性剤は、式Ｉの脂肪アルコールアルコキシレートであり、式中、Ｒ１は、直鎖または分枝鎖の飽和Ｃ８−２４アルキル基であり、Ｒ２は、直鎖の飽和Ｃ２−８アルキル基であり、ｍは、２２〜４２の平均値を有し、ｎは、４〜１２の平均値を有し、式中、ｍ＋ｎは、２６〜５４の平均値であり、式Ｉの脂肪アルコールアルコキシレートは、＞４５重量％の１分子当たりの平均エチレンオキシ単位濃度Ｘを有し、脂肪アルコールアルコキシレートは、ｎで除算したＸに等しい比Ｚを有し、比Ｚは＜９．５である。
【００１２】
分散剤ポリマー（分散剤ポリマーが、（メタ）アクリル酸のホモポリマー、（メタ）アクリル酸と少なくとも１つの他のエチレン性不飽和モノマーとのコポリマー、及びそれらの塩を含む）と、ビルダー（ビルダーが、アルカリ金属炭酸塩、アルカリ金属重炭酸塩、アルカリ金属過炭酸塩、アルカリ金属クエン酸塩、炭酸アンモニウム、重炭酸アンモニウム、及び過炭酸アンモニウムからなる群から選択される）と、界面活性剤とを含む自動食器洗浄組成物が提供され、界面活性剤は、式Ｉの脂肪アルコールアルコキシレートであり、式中、Ｒ１は、直鎖または分枝鎖の飽和Ｃ８−２４アルキル基であり、Ｒ２は、直鎖の飽和Ｃ２−８アルキル基であり、ｍは、２２〜４２の平均値を有し、ｎは、４〜１２の平均値を有し、式中、ｍ＋ｎは、２６〜５４の平均値であり、式Ｉの脂肪アルコールアルコキシレートは、＞４５重量％の１分子当たりの平均エチレンオキシ単位濃度Ｘを有し、脂肪アルコールアルコキシレートは、ｎで除算したＸに等しい比Ｚを有し、比Ｚは＜９．５である。
【００１３】
本発明は、自動食器洗浄機において物品を洗浄する方法であって、少なくとも１つの物品を提供することと、本発明の自動食器洗浄組成物を提供することと、自動食器洗浄組成物を少なくとも１つの物品に適用することとを含む。
【発明を実施するための形態】
【００１４】
自動食器洗浄組成物（特にリン酸塩を含まない自動食器洗浄組成物）中に組み込まれる場合、特に本明細書に記載の界面活性剤脂肪アルコールアルコキシレートは、自動食器洗浄組成物の斑点防止性能を劇的に改善する。
【００１５】
別途示されない限り、数値の範囲（例えば、「２〜１０」）は、この範囲を定義する数値（例えば、２及び１０）を含める。
【００１６】
別途示されない限り、比、パーセンテージ、部などは、重量による。組成物中の重量パーセンテージ（または、重量％）は、乾燥重量のパーセンテージであり、すなわち、組成物中に存在し得る一切の水を排除している。ポリマー中のモノマー単位のパーセンテージは、固形重量のパーセンテージであり、すなわち、ポリマー乳剤中に存在する一切の水を排除している。
【００１７】
本明細書で使用される場合、別途示されない限り、用語「分子量」及び「Ｍｗ」は、ゲル浸透クロマトグラフィー（ＧＰＣ）及びポリエチレングリコール標準物などの従来の標準物を用いた従来の方法で測定された場合の重量平均分子量を指すために互換的に使用される。ＧＰＣ技法は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−ｌｎｔｅｒｓｃｉｅｎｃｅ，１９７９、及びＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４で詳細に論じられている。分子量は、本明細書においてダルトンの単位で報告される。
【００１８】
用語「エチレン性不飽和」は、分子または部分を重合性にする１つ以上の炭素−炭素二重結合を有する分子または部分を記載するために使用される。用語「エチレン性不飽和」は、モノエチレン性不飽和（１つの炭素−炭素二重結合を有する）及び多エチレン性不飽和（２つ以上の炭素−炭素二重結合を有する）を含む。本明細書で使用される場合、用語「（メタ）アクリル」は、アクリルまたはメタクリルを指す。
【００１９】
本明細書及び添付の特許請求の範囲で使用される用語「エチレンオキシ」及び「ＥＯ」は、−ＣＨ２−ＣＨ２−Ｏ−基を指す。
【００２０】
本明細書及び添付の特許請求の範囲で使用される用語「ホスフェート不含」は、本明細書及び添付の特許請求の範囲で使用される場合、０．５重量％未満（好ましくは０．２重量％未満、より好ましくは０．１重量％未満、最も好ましくは検出限界値未満）のホスフェート（リン元素として測定）を含有する組成物を意味する。
【００２１】
好ましくは、本発明の自動食器洗浄組成物は、アクリル酸、メタクリル酸、イタコン酸、及びマレイン酸のうちの少なくとも１つのモノマー単位を含む分散剤ポリマーと、ビルダーと、界面活性剤とを含み、界面活性剤は、式Ｉの脂肪アルコールアルコキシレートであり、
【００２２】
【化３】
2019519639.tif 000005
【００２３】
式中、Ｒ１は、直鎖または分枝の飽和Ｃ８−２４アルキル基であり（好ましくは、直鎖または分枝鎖の飽和Ｃ１２−２０アルキル基であり、より好ましくは、直鎖または分枝鎖の飽和Ｃ１２−２０アルキル基が、ドデシル基、テトラデシル基、ヘキサデシル基、オクタデシル基、及びエイコシル基からなる群から選択される）、Ｒ２は、直鎖飽和Ｃ２−８アルキル基（好ましくは、直鎖飽和Ｃ２−６アルキル基、より好ましくは、直鎖飽和Ｃ２−４アルキル基、最も好ましくはＣ２アルキル基）であり、ｍは２２〜４２（好ましくは２３〜３３、より好ましくは２４〜３２、最も好ましくは２５〜３１）の平均値を有し、ｎは４〜１２（好ましくは５〜１１、より好ましくは６〜１１、最も好ましくは７〜１０）の平均値を有し、ｍ＋ｎは２６〜５４（好ましくは３０〜５０、より好ましくは３０〜４５、最も好ましくは３０〜４０）の平均値であり、式Ｉの脂肪アルコールアルコキシレートは、＞４５重量％（好ましくは、≧５０重量％、より好ましくは＞４５〜６４．５重量％、最も好ましくは５０〜６４．５重量％）の１分子当たりの平均エチレンオキシ単位濃度Ｘを有し、式Ｉの脂肪アルコールアルコキシレートは、ｎで除算したＸに等しい比Ｚを有し、比Ｚは＜９．５（好ましくは４〜９．４、より好ましくは５〜９．２）である。界面活性剤は、式Ｉの脂肪アルコールアルコキシレート化合物の混合物であり得、ここで、界面活性剤は、炭素数は異なるが、上述された範囲と一致する平均炭素数を有するアルキル基Ｒ１及びＲ２の範囲を含有する混合物である。
【００２４】
好ましくは、本発明の自動食器洗浄組成物は、自動食器洗浄組成物の乾燥重量に基づいて、少なくとも０．２重量％（好ましくは、少なくとも１重量％）の界面活性剤を含み、この界面活性剤は、上述した式Ｉの脂肪アルコールアルコキシレートである。好ましくは、本発明の自動食器洗浄組成物は、自動食器洗浄組成物の乾燥重量に基づいて、０．２〜１５重量％（好ましくは０．５〜１０重量％、より好ましくは１．５〜７．５重量％）の界面活性剤を含み、この界面活性剤は、上述した式Ｉの脂肪アルコールアルコキシレートである。
【００２５】
本発明の自動食器洗浄組成物に使用される式Ｉの界面活性剤脂肪アルコールアルコキシレートは、既知の合成手順を用いて容易に調製することができる。例えば、本化合物を調製するための典型的な手順は、以下の通りである。式Ｒ１ＯＨ（式中Ｒ１は、直鎖または分岐鎖の飽和Ｃ８−２４アルキル基である）と一致するアルコールを反応器に添加し、塩基（例えば、水素化ナトリウム、ナトリウムメトキシドまたは水酸化カリウム）の存在下で加熱する。混合物は、相対的に水を含んでいないはずである。次いで、この混合物に、加圧下で所望の量のエチレンオキシドＥＯを添加する。ＥＯが消費された後（反応器の気圧の実質的な低下により示されるように）、得られたエトキシル化アルコールは、塩基条件下で、１：４〜１：１２のエトキシル化アルコール対アルキレンオキシドのモル比で、アルキレンオキシドとの反応にかけることができる（ここで、アルキレンオキシドは、４〜１０個の炭素原子を含有する）。触媒対エトキシル化アルコールのモル比は、０．０１：１〜１：１（好ましくは、０．０２：１〜０．５：１）であり得る。エトキシル化アルコールを形成するための反応及びアルキレンオキシドとのさらなる反応は、典型的には溶媒の非存在下で、２５〜２００℃（好ましくは８０〜１６０℃）の温度で行われる。
【００２６】
好ましくは、本発明の自動食器洗浄組成物中で使用される分散剤ポリマーは、アクリル酸、メタクリル酸、イタコン酸、及びマレイン酸のうちの少なくとも１つのモノマー単位を含む。好ましくは、分散剤ポリマーは、（メタ）アクリル酸の単位を含む。好ましくは、分散剤ポリマーは、≧２，０００（より好ましくは≧３，０００、最も好ましくは≧４，０００）ダルトン、及び≦１００，０００（より好ましくは≦７０，０００、より好ましくは≦５０，０００、より好ましくは≦３０，０００、より好ましくは≦２５，０００、より好ましくは≦２０，０００）ダルトンの重量平均分子量Ｍｗを有する。好ましくは、分散剤ポリマーは、２，０００〜４０，０００（より好ましくは、４，０００〜２０，０００）ダルトンの重量平均分子量Ｍｗを有する。
【００２７】
好ましくは、本発明の自動食器洗浄組成物中で使用される分散剤ポリマーは、（メタ）アクリル酸のホモポリマー、（メタ）アクリル酸と少なくとも１つの他のエチレン性不飽和モノマーとのコポリマー、及びそれらの塩のうちの少なくとも１つを含む。より好ましくは、本発明の自動食器洗浄組成物中で使用される分散剤ポリマーは、（メタ）アクリル酸のホモポリマー、（メタ）アクリル酸と少なくとも１つの他のエチレン性不飽和モノマーとのコポリマー、及びそれらの塩のうちの少なくとも１つを含み、ここで、（メタ）アクリル酸と少なくとも１つの他のエチレン性不飽和モノマーとのコポリマーは、メタクリル酸及びアクリル酸のコポリマーを含む。最も好ましくは、本発明の自動食器洗浄組成物に使用される分散剤ポリマーは、（メタ）アクリル酸のホモポリマー及びその塩（好ましくは（メタ）アクリル酸のホモポリマー）である。
【００２８】
好ましくは、（メタ）アクリル酸と少なくとも１つの他のエチレン性不飽和モノマーとのコポリマーは、（メタ）アクリル酸のエステル（例えば、アクリル酸エチル、アクリル酸ブチル、メタクリル酸エチル、メタクリル酸ブチル）、スチレン、スルホン化モノマー（例えば、２−アクリルアミド−２−メチルプロパンスルホン酸（ＡＭＰＳ）、２−メタクリルアミド−２−メチルプロパンスルホン酸、４−スチレンスルホン酸、ビニルスルホン酸、３−アリルオキシ、２−ヒドロキシ−１−プロパンスルホン酸（ＨＡＰＳ）、２−スルホエチル（メタ）アクリル酸、２−スルホプロピル（メタ）アクリル酸、３−スルホプロピル（メタ）アクリル酸、４−スルホブチル（メタ）アクリル酸）、置換（メタ）アクリルアミド（例えば、ｔｅｒｔ−ブチルアクリルアミド）、及びこれらの塩からなる群から選択される残基を含む。
【００２９】
好ましくは、本発明の自動食器洗浄組成物中で使用される分散剤ポリマーは、５０〜９５重量％（好ましくは、７０〜９３重量％）のアクリル酸、及び５〜５０重量％（好ましくは、７〜３０重量％）の２−アクリルアミド（ａｃｒｙｌａｍｉｄｏ）−２−メチルプロパンスルホン酸ナトリウム塩の重合単位由来のコポリマーを含む。より好ましくは、本発明の自動食器洗浄組成物中で使用される分散剤ポリマーは、５０〜９５重量％（好ましくは、７０〜９３重量％）のアクリル酸、及び５〜５０重量％（好ましくは、７〜３０重量％）の２−アクリルアミド（ａｃｒｙｌａｍｉｄｏ）−２−メチルプロパンスルホン酸ナトリウム塩の重合単位由来のコポリマーを含み、ここで、コポリマーは、２，０００〜４０，０００（より好ましくは、１０，０００〜２０，０００）ダルトンの重量平均分子量Ｍｗを有する。
【００３０】
好ましくは、本発明の自動食器洗浄組成物中で使用される分散剤ポリマーは、（メタ）アクリル酸のホモポリマーを含む。より好ましくは、本発明の自動食器洗浄組成物中で使用される分散剤ポリマーは、（メタ）アクリル酸のホモポリマーを含み、ここで、（メタ）アクリル酸のホモポリマーは、２，０００〜４０，０００（より好ましくは、２，０００〜１０，０００）ダルトンの重量平均分子量Ｍｗを有する。
【００３１】
好ましくは、本発明の自動食器洗浄組成物中で使用される分散剤ポリマーは、アクリル酸のホモポリマーを含む。より好ましくは、本発明の自動食器洗浄組成物中で使用される分散剤ポリマーは、アクリル酸のホモポリマーを含み、ここで、アクリル酸のホモポリマーは、２，０００〜４０，０００（より好ましくは、２，０００〜１０，０００）ダルトンの重量平均分子量Ｍｗを有する。
【００３２】
好ましくは、本発明の自動食器洗浄組成物中で使用される分散剤ポリマーは、アクリル酸のホモポリマーと、アクリル酸及び２−アクリルアミド（ａｃｒｙｌａｍｉｄｏ）−２−メチルプロパンスルホン酸ナトリウム塩の重合単位由来のコポリマーとの混合物とを含む。より好ましくは、本発明の自動食器洗浄組成物中で使用される分散剤ポリマーは、アクリル酸のホモポリマーと、アクリル酸及び２−アクリルアミド（ａｃｒｙｌａｍｉｄｏ）−２−メチルプロパンスルホン酸ナトリウム塩の重合単位由来のコポリマーとの混合物とを含み、ここで、アクリル酸のホモポリマーは、２，０００〜４０，０００（より好ましくは、２，０００〜１０，０００）ダルトンの重量平均分子量Ｍｗを有し、コポリマーは、２，０００〜４０，０００（より好ましくは、１０，０００〜２０，０００）ダルトンの重量平均分子量Ｍｗを有する。
【００３３】
好ましくは、本発明の自動食器洗浄組成物は、自動食器洗浄組成物の乾燥重量に基づいて、１〜１０重量％（好ましくは２〜８重量％、より好ましくは３〜６重量％）の分散剤ポリマーを含む。
【００３４】
本発明の自動食器洗浄組成物中で使用される分散剤ポリマーは、様々な供給元から市販されており、かつ／またはそれらは、文献の技法を使用して調製され得る。例えば、低分子量分散剤ポリマーは、フリーラジカル重合により調製され得る。これらのポリマーを調製するための好ましい方法は、溶媒中での均一重合による。溶媒は、水、または２−プロパノールもしくは１，２−プロパンジオールなどのアルコール溶媒であり得る。フリーラジカル重合は、アルカリペルサルフェート、または有機ペルアシッド及び有機ペルエステルなどの前駆体化合物の分解により開始される。前駆体の活性化は、高反応温度のみの作用（熱活性化）、または鉄（ＩＩ）サルフェートとアスコルビン酸との組み合わせなどのレドックス作用物質の混和物（レドックス活性化）による場合もある。これらの場合、連鎖移動剤が典型的に使用され、ポリマー分子量を調節する。溶液重合において用いられる好ましい連鎖移動剤の１つの分類は、アルカリバイサルファイトまたはアンモニウムバイサルファイトである。ナトリウムメタ−バイサルファイトが特に記載される。
【００３５】
分散剤ポリマーは、水溶性溶液ポリマー、スラリー、乾燥粉末、または顆粒の形態もしくは他の固形形態であり得る。
【００３６】
好ましくは、本発明の自動食器洗浄組成物中で使用されるビルダーは、１つ以上のカルボネートまたはシトレートを含む。用語「カルボネート（複数可）」は、本明細書及び添付の特許請求の範囲で使用される場合、カルボネート、バイカルボネート、ペルカルボネート、及び／またはセスキカルボネートのアルカリ金属またはアンモニウム塩を指す。用語「シトレート（複数可）」は、本明細書及び添付の特許請求の範囲で使用される場合、アルカリ金属クエン酸塩を指す。好ましくは、本発明の自動食器洗浄組成物中で使用されるビルダーは、１つ以上のカルボネートまたはシトレートを含み、ここで、カルボネート及びシトレートは、ナトリウム、カリウム、及びリチウム（より好ましくは、ナトリウムまたはカリウム、最も好ましくは、ナトリウム塩）のカルボネート及びシトレートからなる群から選択される。より好ましくは、本発明の自動食器洗浄組成物中で使用されるビルダーは、炭酸ナトリウム、重炭酸ナトリウム、クエン酸ナトリウム、及びそれらの混合物からなる群から選択される。
【００３７】
好ましくは、本発明の自動食器洗浄組成物は、自動食器洗浄組成物の乾燥重量に基づいて、１０〜７５重量％（より好ましくは２５〜７５重量％、より好ましくは３０〜７０重量％、より好ましくは４０〜６５重量％）のビルダーを含む。カルボネートまたはシトレートの重量パーセントは、金属イオンを含む塩の実際の重量に基づく。
【００３８】
本発明の自動食器洗浄組成物は任意に、添加剤をさらに含む。好ましくは、本発明の自動食器洗浄組成物は任意に、アルカリ源、漂白剤（例えば、ナトリウムペルカルボネート、ナトリウムペルボレート）、漂白活性化剤（例えば、テトラアセチルエチレンジアミン（ＴＡＥＤ））、漂白触媒（例えば、マンガンアセテート（ＩＩ）、または塩化コバルト（ＩＩ））；酵素（例えば、プロテアーゼ、アミラーゼ、リパーゼ、またはセルラーゼ）；アミノカルボキシレートキレート剤（例えば、メチルグリシンジ酢酸（ＭＧＤＡ）、グルタミン酸−Ｎ，Ｎ−ジ酢酸（ＧＬＤＡ）、イミノジコハク酸（ＩＤＳＡ）、１，２−エチレンジアミンジコハク酸（ＥＤＤＳ）、アスパラギン酸ジ酢酸（ＡＳＤＡ）、これらの塩、及びこれらの混合物）；ホスホネート（例えば、１−ヒドロキシエチリデン−１，１−ジホスホン酸（ＨＥＤＰ））；発泡抑制剤；染料；芳香剤；シリケート；追加のビルダー；抗菌剤；充填剤（例えば、ナトリウムサルフェート）；及びこれらの混合物からなる群から選択される添加剤をさらに含む。錠剤または粉末形態で提供される自動食器洗浄組成物に使用される充填剤は、不活性水溶性物質、典型的にはナトリウムまたはカリウム塩（例えば、ナトリウムサルフェート、カリウムサルフェート、塩化ナトリウム、塩化カリウム）を含み、典型的には自動食器洗浄組成物の最大７５重量％の範囲の量で提供される。ゲル形態で提供される自動食器洗浄組成物に使用される充填剤には、錠剤及び粉末自動食器洗浄組成物で使用するために上述したものに加えて、水が含まれる。自動食器洗浄組成物に使用される香料、染料、発泡抑制剤、酵素及び抗菌剤は、典型的には、自動食器洗浄組成物の≦１０重量％（好ましくは≦５重量％）を占める。
【００３９】
本発明の自動食器洗浄組成物は任意に、アルカリ源をさらに含む。好適なアルカリ源としては、アルカリ金属炭酸塩及びアルカリ金属水酸化物（例えば、炭酸ナトリウムならびにカリウムカルボネート、重炭酸ナトリウム、カリウムセスキカルボネート、水酸化ナトリウム、水酸化リチウム、ならびに水酸化カリウム）及びこれらの混合物が挙げられるが、これらに限定されない。炭酸ナトリウムが好ましい。好ましくは、本発明の自動食器洗浄組成物は、自動食器洗浄組成物の乾燥重量に基づいて、１〜８０重量％（好ましくは２０〜６０重量％）のアルカリ源を含む（好ましくは、このアルカリ源は炭酸ナトリウムである）。
【００４０】
本発明の自動食器洗浄組成物は任意に、漂白剤をさらに含む。好ましくは、本発明の自動食器洗浄組成物は、自動食器洗浄組成物の乾燥重量に基づいて、１〜３０重量％（好ましくは８〜２０重量％）の漂白剤を含む。
【００４１】
好ましくは、本発明の自動食器洗浄組成物は、炭酸ナトリウム；重炭酸ナトリウム；金属イオン封鎖剤（好ましくは、金属イオン封鎖剤はクエン酸ナトリウムである）；漂白剤（好ましくは、漂白剤はナトリウムペルカルボネートである）；漂白活性化剤（好ましくは漂白活性化剤はＴＡＥＤである）；界面活性剤（界面活性剤は上記の式Ｉの脂肪アルコールアルコキシレートである）；酵素（好ましくは、酵素は、プロテアーゼ、アミラーゼ、及びこれらの混合物からなる群から選択される）；分散剤ポリマー（好ましくは、分散剤ポリマーは、アクリル酸のホモポリマー、アクリル酸とＡＭＰＳ（またはＡＭＰＳの塩）のコポリマー、及びこれらの混合物からなる群から選択される）；ホスホネート（好ましくは、ホスホネートはＨＥＤＰである）；及び任意に充填剤（好ましくは、充填剤はナトリウムサルフェートである）を含む。
【００４２】
好ましくは、本発明の自動食器洗浄組成物は、１０〜５０重量％（好ましくは１５〜３０重量％、より好ましくは１５〜２５重量％）の炭酸ナトリウム；５〜５０重量％（好ましくは１０〜４０重量％、より好ましくは２５〜３５重量％）の金属イオン封鎖剤（好ましくは、金属イオン封鎖剤はクエン酸ナトリウムである）；５〜２５重量％（好ましくは１０〜２０重量％）の漂白剤（好ましくは、漂白剤はナトリウムペルカルボネートである）；１〜６重量％（好ましくは２〜５重量％）の漂白活性化剤（好ましくは漂白活性化剤はＴＡＥＤである）；０．２〜１５重量％（好ましくは０．５〜１０重量％、より好ましくは２〜７．５重量％）の界面活性剤（界面活性剤は上記の式Ｉの脂肪アルコールアルコキシレートである）；１〜６重量％（好ましくは２〜４重量％）の酵素（好ましくは、酵素は、プロテアーゼ、アミラーゼ、及びこれらの混合物からなる群から選択され、より好ましくは、酵素はプロテアーゼとアミラーゼとの混合物である）；１〜１０（好ましくは２〜７．５重量％）の分散剤ポリマー（好ましくは、分散剤ポリマーは、アクリル酸のホモポリマー、アクリル酸とＡＭＰＳ（またはＡＭＰＳの塩）のコポリマー、及びこれらの混合物からなる群から選択される）；及び１〜１０重量％（好ましくは２〜７．５重量％）の充填剤（好ましくは、充填剤はナトリウムサルフェートである）を含み、各重量％は、自動食器洗浄組成物の乾燥重量に基づく。
【００４３】
好ましくは、本発明の自動食器洗浄組成物は、少なくとも９（好ましくは、≧１０）のｐＨ（蒸留水中の１重量％における）を有する。好ましくは、本発明の自動食器洗浄組成物は、１３以下のｐＨ（上流水中の１重量％における）を有する。
【００４４】
好ましくは、本発明の自動食器洗浄組成物は、任意の典型的な形態、例えば、錠剤、粉末、塊、一回量、小袋、ペースト、液体、またはゲルで配合され得る。本発明の自動食器洗浄組成物は、食器道具及び調理具、皿などの用品を自動食器洗浄機で清浄するのに有用である。
【００４５】
好ましくは、本発明の自動食器洗浄組成物は、典型的な操作条件下で使用され得る。例えば、自動食器洗浄機内で使用されるとき、洗浄過程中の典型的な水温は、好ましくは２０℃〜８５℃、好ましくは３０℃〜７０℃である。自動食器洗浄組成物のための典型的な濃度は好ましくは、食器洗浄機内の液体の合計パーセンテージとして、０．１〜１重量％、好ましくは０．２〜０．７重量％である。適切な製品形態及び添加時間の選択により、本発明の自動食器洗浄組成物は、予備洗浄、主洗浄、最終から２番目のすすぎ、最終のすすぎ、またはこれらのサイクルの任意の組み合わせにおいて存在し得る。
【００４６】
好ましくは、本発明の自動食器洗浄組成物は、＜０．５重量％（好ましくは＜０．２重量％、より好ましくは＜０．１重量％、さらにより好ましくは＜０．０１重量％、最も好ましくは検出限界値超）のホスフェート（リン元素として測定）を含む。好ましくは、本発明の自動食器洗浄組成物は、ホスフェート不含である。
【００４７】
好ましくは、本発明の自動食器洗浄組成物は、合計で＜０．５重量％（好ましくは＜０．２重量％、より好ましくは＜０．１重量％、さらにより好ましくは＜０．０１重量％、最も好ましくは＜検出限界値）のアミノカルボキシレートキレート剤を含む。より好ましくは、本発明の自動食器洗浄組成物は、合計で＜０．５重量％（好ましくは、＜０．２重量％、より好ましくは＜０．１重量％、さらにより好ましくは＜０．０１重量％、最も好ましくは＜検出限界地）の、メチルグリシン二酢酸（ＭＧＤＡ）、グルタミン酸−Ｎ、Ｎ−二酢酸（ＧＬＤＡ）、イミノ二コハク酸（ＩＤＳＡ）、１，２−エチレンジアミンニコハク酸（ＥＤＤＳ）及びアスパラギン酸二酢酸（ＡＳＤＡ）を含むアミノカルボキシレートキレート剤を含む。好ましくは、本発明の自動食器洗浄組成物は、＜０．５重量％（好ましくは＜０．２重量％、より好ましくは＜０．１重量％、さらにより好ましくは＜０．０１重量％、最も好ましくは＜検出限界値）のメチルグリシン二酢酸（ＭＧＤＡ）を含む。好ましくは、本発明の自動食器洗浄組成物は、アミノカルボキシレートキレート剤不含である。好ましくは、本発明の自動食器洗浄組成物は、メチルグリシン二酢酸（ＭＧＤＡ）不含である。
【００４８】
ここで、本発明のいくつかの実施形態が以下の実施例で詳細に記載される。
【００４９】
実施例Ｉ−１：１２．６Ｃ開始剤溶液の調製
窒素雰囲気下でオーバーヘッド撹拌し、水冷蒸留ヘッドを備えた１リットルの丸底フラスコを温度制御された電気加熱マントル内に置き、６８６．４ｇのドデカノールとテトラデカノールの７０：３０重量％混合物（Ｐｒｏｃｔｏｒ＆Ｇａｍｂｌｅから入手可能なＣＯ−１２７０脂肪アルコール）及び５．２８ｇの８５％水酸化カリウム粉末を加えて混合物を形成した。次いで、この混合物を１００℃に加熱して、カールフィッシャー分析により０．２２重量％の水を有する溶液を提供した。次いで、蒸留ヘッドを通して丸底フラスコから窒素を２時間パージしながら、溶液を１３０〜１４０℃にさらに加熱し、カールフィッシャー分析により０．００３重量％の水を含有する溶液を提供した。塩基含有量は、０．６１重量％の水酸化カリウムとして滴定した。残りの６７８．１０ｇの溶液を丸底フラスコからボトルに注ぎ、５５℃で保存した。
【００５０】
アルコキシル化反応手順
１／４ｈｐの磁気駆動攪拌機、１５００ワット（１１５Ｖ）のＣａｌｒｏｄの電気加熱器、１／４インチの水が充填された冷却コイル、１／１６インチの試料抽出するための浸漬管、内部サーモウェル、１０２４ｐｓｉｇに設定された１／４インチの破裂板、９００ｐｓｉｇに設定された１／４インチの放出弁、液体レベルより下に沈められた酸化物添加ライン、及び２インチの直径ピッチの翼攪拌機が備え付けられた２Ｌの３１６ステンレス鋼の円錐形状底部（最小攪拌容量は２０ｍＬ）のＰａｒｒ反応器（モデル４５３０）内でアルコキシル化反応を行った。攪拌機シャフトの底部は、反応器の輪郭の形をした特注作製されたステンレス鋼パドルを有し、初期の非常に小さい容量での攪拌を可能にした。酸化物添加システムは、１リットルのステンレス鋼添加シリンダーから構成され、それは、装填、秤量、及び酸化物投入ラインに取り付けられた。反応器システムをＳｉｅｍｅｎｓ  ＳＩＭＡＴＩＣ  ＰＣＳ７プロセス制御システムにより制御した。Ｔｙｐｅ  Ｋの熱電対を用いて反応温度を測定し、Ａｓｈｃｒｏｆｔの気圧変換装置を用いて気圧を測定し、ボール弁をＳｗａｇｅｌｏｋの空圧式弁駆動装置を用いて操作し、ＡＳＣＯの電気弁を用いて水流の冷却を制御し、Ｂｒｏｏｋｓ  Ｑｕａｎｔｉｍ（登録商標）Ｃｏｒｉｏｌｉｓ質量流量制御装置（モデル、ＱＭＢＣ３Ｌ１Ｂ２Ａ１Ａ１Ａ１ＤＨ１Ｃ７Ａ１ＤＡ）、及び質量流量制御装置にわたる１００ｐｓｉｇの気圧の差異を維持して、安定した流量を提供するＴＥＳＣＯＭ逆圧調節装置（モデル、４４−１１６３−２４−１０９Ａ）からなる質量流量制御システムにより酸化物添加速度を制御した。
【００５１】
比較実施例Ｃ１〜Ｃ７及びＣ１１
比較実施例Ｃ１〜Ｃ７及びＣ１１のそれぞれにおいて、アルコキシル化反応は、２Ｌの３１６ステンレス鋼円錐底部（最小撹拌容量２０ｍＬ）Ｐａｒｒ反応器中で行われ、Ｐａｒｒ反応器は、エチレンオキシド（ＥＯ）を添加する前に、実施例Ｉ−１と同様にしてシールし、４５０ｐｓｉｇで圧力をチェックし、窒素で６回パージし、１２０〜１３０℃に加熱した。次いで、Ｐａｒｒ反応器にエチレンオキシド（ＥＯ）を０．５〜３ｇ／分の速度で充填し、表１に記載の開始剤に対するＥＯのモル比を得た。パール反応器内の圧力を安定化した後、プロピレンオキシド（ＰＯ）（存在する場合）及びブチレンオキシド（ＢＯ）（存在する場合）をパール反応器に０．５〜２ｇ／分の速度で充填し、表１に記載の開始剤に対するＰＯのモル比及び開始剤に対するＢＯのモル比を提供した。次いで、Ｐａｒｒ反応器を１２０〜１３０℃で一晩保持した後、５０℃に冷却して、下記の自動食器洗浄試験で使用するための生成物界面活性剤を回収した。
【００５２】
【表１】
2019519639.tif 000006
【００５３】
比較実施例Ｃ８〜Ｃ１０、Ｃ１２〜２４及び実施例１〜７
比較実施例Ｃ８〜Ｃ１０、Ｃ１２〜２４、及び実施例１〜７のそれぞれにおいて、アルコキシル化反応は、２Ｌの３１６ステンレス鋼円錐底部（最小撹拌容量２０ｍＬ）Ｐａｒｒ反応器中で行われ、Ｐａｒｒ反応器は、エチレンオキシド（ＥＯ）を添加する前に、ある量の開始剤を表２に記載した濃度の塩基性アルコキシル化触媒と共に充填し、窒素で１時間パージし、１２０〜１３０℃に加熱した。次いで、Ｐａｒｒ反応器にエチレンオキシド（ＥＯ）を０．５〜３ｇ／分の速度で充填し、表２に記載の開始剤に対するＥＯのモル比を得た。パール反応器内の圧力を安定化した後、プロピレンオキシド（ＰＯ）（存在する場合）及びブチレンオキシド（ＢＯ）（存在する場合）をパール反応器に０．５〜２ｇ／分の速度で充填し、表２に記載の開始剤に対するＰＯのモル比及び開始剤に対するＢＯのモル比を提供した。次いで、Ｐａｒｒ反応器を１２０〜１３０℃で一晩保持した後、５０℃に冷却して、下記の自動食器洗浄試験で使用するための生成物界面活性剤を回収した。
【００５４】
【表２】
2019519639.tif 000007
【００５５】
食べ物汚れを調製するための手順
表３〜４に記載の食べ物汚れ配合物は、水を７０℃に加熱し、次いでジャガイモデンプン、クォークパウダー、安息香酸及びマーガリンを添加することによって調製した。マーガリンが確実に溶解するまで攪拌した。次いで、牛乳を添加し、よく攪拌する。得られた混合物を冷却させる。次いで、温度が４５℃未満になったら、卵黄、ケチャップ、及びマスタードを添加する。自動食器洗浄試験に使用するために、５０ｇの分量で得られた食べ物汚れ配合物を十分に混合し、次いで凍結する。
【００５６】
【表３】
2019519639.tif 000008
【００５７】
【表４】
2019519639.tif 000009
【００５８】
食器洗浄組成物
上記比較実施例Ｃ１〜２４及び実施例１〜７に従って調製された界面活性剤を含有する食器洗浄組成物を、表５〜７のうちの１つで同定された成分配合物を用いて提供した。成分配合物の各々に使用されたプロテアーゼは、Ｎｏｖｏｚｙｍｅｓから入手可能なＳａｖｉｎａｓｅ（登録商標）１２Ｔプロテアーゼであった。各成分配合物に使用されたアミラーゼは、Ｎｏｖｏｚｙｍｅｓから入手可能なＳｔａｉｎｚｙｍｅ（登録商標）１２Ｔアミラーゼであった。
【００５９】
【表５】
2019519639.tif 000010
【００６０】
【表６】
2019519639.tif 000011
【００６１】
【表７】
2019519639.tif 000012
【００６２】
食器洗浄試験条件
機械：Ｍｉｅｌｅ  ＳＳ−ＡＤＷ、モデルＧ１２２２ＳＣ  Ｌａｂｏｒ。プログラム：Ｖ４、８分間にわたる加熱洗浄、ファジィ論理離脱加熱乾燥を伴う５０℃での洗浄サイクル。水：３７５ｐｐｍの硬度（ＥＤＴＡ滴定により確認されたＣａＣＯ３，として）、Ｃａ：Ｍｇ＝３：１、２５０ｐｐｍの炭酸ナトリウム。食べ物汚れ：表８〜１４に記載の組成物５０ｇをｔ＝０で導入し、カップ内で凍結した。比較実施例Ｃ１〜Ｃ２４及び実施例１〜７からの各界面活性剤を、表８〜１４に記載のように、１回の洗浄につき２０ｇを投与した食器洗浄組成物で試験した。
【００６３】
膜張り及び斑点の評価
外気で乾燥後、訓練を受けた評価者による、下からの制御された照明を有する発光ボックス内でのガラスタンブラーの観察により、膜張り及び斑点の評点を判定した。ガラスタンブラーを、ＡＳＴＭ法に従って、１（膜／斑点なし）から５（重度の膜張り／斑点形成）までの範囲で、膜張り及び斑点について評価した。膜張り及び斑点についての平均値１〜５を各ガラスタンブラーについて判定し、それぞれ表８〜１４に報告する。
【００６４】
【表８】
2019519639.tif 000013
【００６５】
【表９】
2019519639.tif 000014
【００６６】
【表１０】
2019519639.tif 000015
【００６７】
【表１１】
2019519639.tif 000016
【００６８】
【表１２】
2019519639.tif 000017
【００６９】
【表１３】
2019519639.tif 000018
【００７０】
【表１４】
2019519639.tif 000019
【国際調査報告】
2019519639.tif 000022
2019519639.tif 000023
2019519639.tif 000024